(57)【特許請求の範囲】
【請求項１】
長方形の角柱状の柄の下端に印字体を備えた単位印判の前記柄の対向する短辺二側面に該単位印判の複数個を縦方向に連結する縦連結部材を設けると共に前記柄の対向する長辺二側面に該単位印判の複数個を横方向に連結する横連結部材を設けてなる連結式印判において、前記縦連結部材として、前記柄の短辺一側面には凸部を設けると共に該凸部の左右両側に該短辺一側面の左右両端にかけて切欠部を設け、該短辺一側面と対向する他の短辺一側面には前記凸部と嵌合する凹部を設けると共に該凹部の左右両側に前記切欠部と係合する隆起部を設け、縦連結部材の下端から印字体の印面までの長さＳ１と縦連結部材の上端から柄の上端までの長さＳ２の大小関係をＳ１＞Ｓ２とすると共に、横連結部材の下端から印字体の印面までの長さＳ３と横連結部材の上端から柄の上端までの長さＳ４の大小関係をＳ３＞Ｓ４として、複数個の単位印判を互いの印面の向きを上下逆にして縦、又は横方向に連結した際に捺印面が凹凸状となるようにしたことを特徴とする連結式印判。
【発明の詳細な説明】
【０００１】
【発明の属する技術分野】
本発明は、長方形の角柱状の柄の下端に印字体を備えた単位印判の複数個を縦・横の両方向で連結可能とした連結式印判に関するものである。
【０００２】
【従来の技術】
角柱状の柄の下端に印字体を備えた単位印判の複数個を縦・横の両方向で連結可能とした連結式印判は従来からよく知られている。そして、単位印判の複数個を縦・横の両方向に連結するための連結部材としては、単位印判の柄の側面に設けられた互いに嵌合する凸部と凹部が一般的であり、例えば、実開昭５５−１４６２６３号、実開昭５６−９８４６２号などに開示されている。
【０００３】
このような縦・横両方向の連結が可能な連結式印判では、単位印判の複数個を縦、又は横方向に連結させた状態で捺印することができるので、複数個の単位印判の組み合わせによる所望の文字や数字や記号などの文字列を縦・横方向を問わずに印影のバラツキを生じることなく一度に正確に捺印できるという利点がある。そして、このような連結式印判には、単位印判の柄が上下に細長い長方形の角柱状となっているものが多く、この長方形の角柱状の柄を有する単位印判の複数個を縦連結すると個々の単位印判の柄の短辺側面が密接した状態となり、横連結すると個々の単位印判の柄の長辺側面が密接した状態となる。
【０００４】
ところが、前記したような長方形の角柱状の柄を有する単位印判の複数個を前記した凸部と凹部の嵌合により縦連結した状態で使用している際に、縦連結状態にある複数個の単位印判にそれらを左右方向に折り曲げるような力が少しでも加わると、図９に示すように単位印判の左右方向のズレが生じてしまい、凸部と凹部の嵌合が簡単に解かれて縦連結状態を確実に保つことができないという問題があった。これは、長方形の角柱状の柄を有する単位印判の複数個を縦連結した場合、個々の単位印判の柄の短辺側面の密接面積が小さい、つまり凸部、凹部の左右両端から短辺側面の両端までの寸法が短いため、前記したように左右方向に折り曲げるような力が加わると、密接している柄の短辺側面がその力に耐えることができなくなるからである。そして、このような問題は、縦連結する単位印判の数が多くなるほど起こり易くなるものであった。
【０００５】
尚、長方形の角柱状の柄を有する単位印判の複数個を横連結した場合は、前記したように個々の単位印判の柄の長辺側面が密接した状態となり、縦連結時よりも個々の単位印判の柄の長辺側面の密接面積が大きい、つまり、凸部、凹部の左右両端から長辺側面の両端までの寸法が長いため、前記のようにズレが生じて横連結状態を保つことができないという問題はほとんど起こらなかった。
【０００６】
そして、前記のような縦連結状態を確実に保つことができないという問題を解決する方法の一つとして、単位印判の柄の対向する短辺二側面に設けられる縦連結の連結部材となる凸部の突出寸法と凹部の没入寸法をそれぞれ大きくして凸部と凹部の嵌合を強固なものとすることが考えられるが、柄の長辺一側面には横連結の連結部材となる凹部が設けられるために縦連結の凹部の没入寸法を大きくするほど単位印判の柄の強度が低下してしまう恐れがあり、又、凸部と凹部の嵌合を強固にし過ぎると縦連結状態にある複数個の単位印判の分離がしにくくなる恐れがあり、更に、凸部の突出寸法を大きくするほど単位印判の保管がしにくくなったり単位印判の外観が悪くなるといった問題があった。
【０００７】
又、前記した問題点の他に、従来の連結式印判では例えば「１  ２  ３」というように各文字の間に一定間隔の空白を有する文字列を縦、又は横方向に並列させて捺印したい場合、「１」の印面を有する単位印判と「２」の印面を有する単位印判と「３」の印面を有する単位印判をそれぞれ１個ずつ一定の間隔で捺印するしかないため、「１」「２」「３」の個々の単位印判の捺印間隔を均等に保つことが難しく、結果的に個々の単位印判の捺印位置にバラツキが生じてしまい、印影がふぞろいになってしまうという問題があった。
【０００８】
そこで、前記したような「１  ２  ３」というように各文字の間に一定間隔の空白を有する文字列を縦、又は横方向に並列させて捺印できるようにする方法として、例えば実公昭４６−１０１６５号に開示されているように単位印判の各側面に設けられる縦・横連結部材を各側面の上下全体に延びる複数の凹凸条とする方法があり、このような凹凸条の連結部材を有する連結式印判にて一定間隔の空白を有する文字列を縦、又は横方向に並列させて捺印する場合は、「１」と「２」の単位印判の間、及び、「２」と「３」の単位印判の間にそれぞれ他の印面を有する単位印判が配置するようにしてそれらの単位印判を連結してやり、その後、他の印面を有する単位印判の印面が「１」「２」「３」の単位印判の印面よりも上方に位置するよう前記凹凸条に沿って位置をずらすことにより、「１」「２」「３」の各印面の間に単位印判１個分の間隔で窪みができるので、これにより一定間隔の空白を有する文字列を捺印することができる。
【０００９】
ところが、このような構成の連結式印判では、連結した際に「１」「２」「３」の各単位印判の印面が全て同一面となるように単位印判の印面の上下の位置調節を行わなければならず、又、「１」「２」「３」の各単位印判の間には他の単位印判が連結されていることから「１」「２」「３」の各単位印判の印面を全て同一面にすることを即座に行なうことがなかなかできないため、この上下位置調節の作業が面倒なものとなる問題があった。又、印面の上下位置にズレがあると捺印時における個々の単位印判にかかる押圧力が均一とならないため、印影に濃淡やカスレが生じてしまうという問題があった。
【００１０】
【発明が解決しようとする課題】
そこで、本発明は前記したいくつかの問題点を全て解消し、長方形の角柱状の柄を有する単位印判の複数個を縦・横の両方向で連結可能とした連結式印判において、前記したように縦連結部材の凸部の突出寸法と凹部の没入寸法を大きくしなくても縦連結状態にある複数個の単位印判に左右方向のズレが生じないようにして縦連結状態を確実に保つことができるようにし、更に、複数個の単位印判を縦、又は横方向に連結して一定間隔の空白を有する所望の文字列を捺印する際に、前記したように単位印判の印面の上下位置調節をしなくても一定間隔の空白を有する所望の文字列を簡単、且つきれいに捺印することができる使い勝手の優れた連結式印判を提供することを目的とする。
【００１１】
【課題を解決するための手段】
長方形の角柱状の柄２の下端に印字体９を備えた単位印判１の前記柄２の対向する短辺二側面に該単位印判１の複数個を縦方向に連結する縦連結部材を設けると共に前記柄２の対向する長辺二側面に該単位印判１の複数個を横方向に連結する横連結部材を設けてなる連結式印判において、前記縦連結部材として、前記柄２の短辺一側面には凸部３を設けると共に該凸部３の左右両側に該短辺一側面の左右両端にかけて切欠部４を設け、該短辺一側面と対向する他の短辺一側面には前記凸部３と嵌合する凹部５を設けると共に該凹部５の左右両側に前記切欠部４と係合する隆起部６を設け、縦連結部材の下端から印字体９の印面までの長さＳ１と縦連結部材の上端から柄２の上端までの長さＳ２の大小関係をＳ１＞Ｓ２とすると共に、横連結部材の下端から印字体９の印面までの長さＳ３と横連結部材の上端から柄２の上端までの長さＳ４の大小関係をＳ３＞Ｓ４として、複数個の単位印判１を互いの印面の向きを上下逆にして縦、又は横方向に連結した際に捺印面が凹凸状となるようにしたことを特徴とする連結式印判である。
【００１２】
【発明の実施の形態】
以下、本発明の実施の形態を図面に基づいて詳細に説明する。図１から図７までは本発明の第１の実施の形態を示しており、１は単位印判で、上下に細長い長方形の角柱状としたプラスチック製の柄２の下端に非多孔性ゴムの印字体９を固着してなるものであり、柄２の上端面には印字体９の印面表示１０が設けてあるものである。
【００１３】
そして、この単位印判１の柄２の対向する短辺二側面には、該単位印判１を縦方向に連結するための縦連結部材を設けてあり、この縦連結部材として、柄２の短辺一側面には、長方形状で外面を円弧状とした凸部３を左右方向の中間に１個設けると共に、該凸部３の左右両側に該短辺一側面の左右両端にかけて円弧状の切欠部４を設けてあり、前記短辺一側面と対向する他の短辺一側面の前記凸部３と切欠部４に対応する位置には、前記凸部３と対応する形状で凸部３と嵌合する凹部５を１個設けると共に該凹部５の左右両側に前記切欠部４と対応する形状で切欠部４と係合する隆起部６を設けてある。尚、前記切欠部４は、該切欠部４を設けることにより形成される切欠面４ａが凸部３の左右両側面と同一面となるように設けてあり、前記隆起部６は、該隆起部６の内側面６ａが凹部５の左右両側面と同一面となるように設けてある
【００１４】
又、前記凸部３、切欠部４、凹部５、隆起部６は、その凸部３、切欠部４、凹部５、隆起部６のそれぞれの下端から印字体９の印面までの長さが、凸部３、切欠部４、凹部５、隆起部６のそれぞれの上端から柄２の上端までの長さよりも長くなるようにそれぞれ設けてある。つまり、凸部３、切欠部４、凹部５、隆起部６からなる縦連結部材は、その縦連結部材の下端から印字体９の印面までの長さをＳ１とし、縦連結部材の上端から柄２の上端までの長さをＳ２とすると、このＳ１とＳ２の大小関係がＳ１＞Ｓ２となるように設けてある。尚、本実施の形態では、Ｓ１とＳ２の差は印字体９の厚さ分としてある。
【００１５】
一方、前記単位印判１の柄２の対向する長辺二側面には、該単位印判１を横方向に連結するための横連結部材を設けてあり、この横連結部材として、柄２の長辺一側面には、上下寸法が前記凸部３よりも短く外面を円弧状とした長方形状の凸部７を左右方向の中間の上下に２個設けてあり、前記長辺一側面と対向する他の長辺一側面の前記凸部７に対応する位置には、凸部７と対応する形状で凸部７と嵌合する凹部８を上下に２個設けてある。
【００１６】
尚、前記凸部７、凹部８は、下方に設けた凸部７、凹部８のそれぞれの下端から印字体９の印面までの長さが、上方に設けた凸部７、凹部８のそれぞれの上端から柄２の上端までの長さよりも長くなるようにそれぞれ設けてある。つまり、凸部７、凹部８からなる横連結部材は、その横連結部材の下端から印字体９の印面までの長さをＳ３とし、横連結部材の上端から柄２の上端までの長さをＳ４とすると、このＳ３とＳ４の大小関係がＳ３＞Ｓ４となるように設けてある。尚、本実施の形態では、Ｓ３とＳ４の差は印字体９の厚さ分としてある。
【００１７】
次に、本実施の形態における単位印判１の複数個を縦方向に連結する方法について説明する。まず、空白がない縦方向の所望の文字列を捺印する場合には、印面を下向きにした状態で個々の単位印判１の柄２の凸部３を有する短辺一側面と凹部５を有する短辺一側面を向き合わせ、凸部３と凹部５が嵌合するように個々の単位印判１を接近させる。そして、凸部３と凹部５が完全に嵌合した時、凸部３の左右両側の切欠部４に凹部５の左右両側にある隆起部６がはまり込んで切欠部４と隆起部６が係合して、互いの短辺一側面は密接した状態となる。これにより、図３に示すように複数個の単位印判１を縦方向に連結することができる。
【００１８】
そして、このような縦連結状態にある複数個の単位印判１に、それを連結部分において左右方向に折り曲げるような力が加わったとしても、図９に示すような左右方向のズレを生じることがなく縦連結状態を確実に保つことができる。これは、図４に示すように凸部３と凹部５が嵌合すると共に切欠部４と隆起部６が係合して、凸部３の左右両側面の同一面上にある切欠面４ａと隆起部６の内側面６ａが密接しているからであり、この切欠面４ａと隆起部６の内側面６ａの密接により、前記したような左右方向の力に耐えることができるからである。
【００１９】
又、一定間隔の空白を有する縦方向の所望の文字列を捺印する場合は、捺印する印面を有する複数個の単位印判１を縦連結する際に、空白を設ける部分に捺印に不要な他の印面を有する単位印判１をその印面の向きが捺印する単位印判１の印面の向きと上下逆になるようにして縦連結すれば良く、このようにして縦連結すると図５に示すようになる。尚、このように複数個の単位印判１を互いの印面の向きを上下逆にして縦連結する方法は、前記した空白がない縦方向の所望の文字列を捺印する場合と同様に凹部３と凸部５を嵌合させると共に切欠部４と隆起部６を係合させるものである。
【００２０】
そして、複数個の単位印判１を互いの印面の向きを上下逆にして縦連結すると、縦連結部材の下端から印字体９の印面までの長さＳ１と縦連結部材の上端から柄２の上端までの長さＳ２の大小関係がＳ１＞Ｓ２となっているため、このような縦連結状態にある複数個の単位印判１の捺印面は図５に示すように凹凸状となり、捺印面の空白部分はＳ１とＳ２の差の分、つまり、印字体９の厚さ分だけ上方に窪んだ状態となる。尚、図５に示すように捺印する単位印判１の間に印面の向きを上下逆にした単位印判１を配した状態で縦連結しても、これらの単位印判１の縦連結部材の上下位置は全て同一であるため捺印する単位印判１の印面位置に上下のズレが生じることはなく、捺印する印面は全て同一面となるので捺印時において印影に濃淡やカスレが生じることはない。
【００２１】
そして、図５に示す状態にて捺印すると、単位印判１個分の大きさの空白を有する縦方向の所望の文字列を捺印することができる。尚、空白の大きさは捺印に不要な単位印判１を複数個連続して縦連結することにより大きくすることができ、例えば、捺印に不要な単位印判１を２個連続して縦連結すると、単位印判２個分の大きさの空白を有する縦方向の文字列を捺印することができる。
【００２２】
又、複数個の単位印判１を互いの印面の向きを上下逆にして縦連結した場合においても、凸部３と凹部５が嵌合すると共に切欠部４と隆起部６が係合して、凸部３の左右両側面の同一面上にある切欠面４ａと隆起部６の内側面６ａが密接しているため、このような縦連結状態にある複数個の単位印判１に、それを連結部分において左右方向に折り曲げるような力が加わったとしても、左右方向のズレを生じることがなく確実に縦連結状態を保つことができる。
【００２３】
一方、縦連結状態にある複数個の単位印判１を分離させる場合には、前記した縦連結する場合の動作と逆の動作を行なえば良く、縦連結状態にある複数個の単位印判１の個々の柄２の長辺二側面を指で摘んでそのまま個々の単位印判１を引き離すことにより、凸部３と凹部５の嵌合が解かれると共に切欠部４と隆起部６の係合が解かれて縦連結状態にあった複数個の単位印判１を分離させることができる。
【００２４】
次に、本実施の形態における単位印判１の複数個を横方向に連結する方法について説明する。まず、空白がない横方向の所望の文字列を捺印する場合には、印面を下向きにした状態で個々の単位印判１の凸部７を有する長辺一側面と凹部８を有する長辺一側面を向き合わせ、凸部７と凹部８が嵌合するように個々の単位印判１を接近させる。そして、凸部７と凹部８が完全に嵌合した時、互いの長辺一側面は密接した状態となり、これにより図６に示すように複数個の単位印判１を横方向に連結することができる。
【００２５】
又、一定間隔の空白を有する横方向の所望の文字列を捺印する場合は、捺印する印面を有する複数個の単位印判１を横連結する際に、空白を設ける部分に捺印に不要な他の印面を有する単位印判１をその印面の向きが捺印する単位印判１の印面の向きと上下逆になるようにして横連結すれば良く、このようにして横連結すると図７に示すようになる。尚、このように複数個の単位印判１を互いの印面の向きを上下逆にして横連結する方法は、前記した空白がない横方向の所望の文字列を捺印する場合と同様に凸部７と凹部８を嵌合させるものである。
【００２６】
そして、複数個の単位印判１を互いの印面の向きを上下逆にして横連結すると、横連結部材の下端から印字体９の印面までの長さＳ３と横連結部材の上端から柄２の上端までの長さＳ４の大小関係がＳ３＞Ｓ４となっているため、このような横連結状態にある複数個の単位印判１の捺印面は図７に示すように凹凸状となり、捺印面の空白部分はＳ３とＳ４の差の分、つまり、印字体９の厚さ分だけ上方に窪んだ状態となる。尚、図７に示すように捺印する単位印判１の間に印面の向きを上下逆にした単位印判１を配した状態で横連結しても、これらの単位印判１の横連結部材の上下位置は全て同一であるため捺印する単位印判１の印面位置に上下のズレが生じることはなく、捺印する印面は全て同一面となるので捺印時において印影に濃淡やカスレが生じることはない。
【００２７】
そして、図７の状態にて捺印すると、単位印判１個分の大きさの空白を有する横方向の所望の文字列を捺印することができる。尚、空白の大きさは捺印に不要な単位印判１を複数個連続して横連結することにより大きくすることができ、例えば、捺印に不要な単位印判１を２個連続して横連結すると、単位印判２個分の大きさの空白を有する横方向の文字列を捺印することができる。
【００２８】
一方、横連結状態にある複数個の単位印判１を分離させる場合には、横連結する場合の動作と逆の動作を行なえば良く、横連結状態にある複数個の単位印判１の個々の柄２の短辺二側面を指で摘んでそのまま個々の単位印判１を引き離すことにより、凸部７と凹部８の嵌合が解かれて横連結状態にあった複数個の単位印判１を分離させることができる。
【００２９】
次に、図８は本発明の第２の実施の形態を示すものである。この第２の実施の形態は、縦連結部材と横連結部材の態様が前記した第１の実施の形態と異なるものであり、柄２の短辺一側面の凸部３の左右両側に設けられる切欠部４を、切欠面４ａが凸部３の左右両側面と段続きとなるようにして設け、前記短辺一側面と対向する他の短辺一側面の凹部５の左右両側に設けられる隆起部６を、その内側面６ａが凹部５の左右両側面と段続きとなるようにして設けたものである。又、柄２の長辺一側面には、上下寸法が凸部３よりも長い長方形状で外面を平坦とした凸部７を１個設け、前記長辺一側面と対向する他の長辺一側面には前記凸部７と対応する形状の凹部８を１個設けたものである。
【００３０】
そして、第２の実施の形態における縦連結部材の下端から印字体９の印面までの長さＳ１と縦連結部材の上端から柄２の上端までの長さＳ２の大小関係、及び横連結部材の下端から印字体９の印面までの長さＳ３と横連結部材の上端から柄２の上端までの長さＳ４の大小関係は第１の実施の形態と同様にそれぞれＳ１＞Ｓ２、Ｓ３＞Ｓ４として、そのＳ１とＳ２の差、及びＳ３とＳ４の差も第１の実施の形態と同様にそれぞれ印字体９の厚さ分としてあるので、この単位印判１の複数個を互いの印面の向きを上下逆にして縦、又は横連結することにより、第１の実施の形態と同様に一定間隔の空白を有する縦、又は横方向の文字列を捺印することができる。
【００３１】
尚、第２の実施の形態における単位印判１の複数個を縦・横連結する方法、及び縦・横連結状態にある複数個の単位印判１を分離させる方法は前記した第１の実施の形態と同様であり、第２の実施の形態における単位印判１の複数個を縦連結した場合においても、第１の実施の形態と同様に凸部３と凹部５が嵌合すると共に切欠部４と隆起部６が係合して、凸部３の左右両側面の同一面上にある切欠面４ａと隆起部６の内側面６ａが密接するので、左右方向のズレを生じることなく縦連結状態を確実に保つことができる。
【００３２】
以上、本発明の連結式印判の実施の形態として第１、第２の実施の形態を説明してきたが、単位印判１の柄２はプラスチック製の他、木製、金属製などであっても良く、印字体９は非多孔性ゴムの他、連続気泡を有する多孔性ゴム、セラミック、ポリエチレンなどであっても良い。又、縦連結部材、横連結部材の形状は前記した第１、第２の実施の形態にて説明した形状に限定されるものではなく、本発明の実施に差し支えがない形状であればどのような形状であっても良い。更に、前記した第１、第２の実施の形態では横連結部材を凸部７と凹部８として、この凸部７と凹部８が嵌合することにより複数個の単位印判１が横連結状態となるものとしているが、この横連結の態様は他の公知の態様であっても良く、本発明の実施に差し支えがない態様であればどのような態様であっても良い。
【００３３】
又、前記した第１、第２の実施の形態では、縦連結部材の下端から印字体９の印面までの長さＳ１と縦連結部材の上端から柄２の上端までの長さＳ２との差をＳ１の方が印字体９の厚さ分だけ長いものとし、又、横連結部材の下端から印字体９の印面までの長さＳ３と横連結部材の上端から柄２の上端までの長さＳ４との差をＳ３の方が印字体９の厚さ分だけ長いものとしていたが、複数個の単位印判１を互いの単位印判１の印面の向きを上下逆にして縦、又は横連結した際、印面を上向きにして連結した単位印判１は、縦連結の場合はＳ１とＳ２の差の分、横連結の場合はＳ３とＳ４の差の分がそれぞれ上方に突出するため、このＳ１とＳ２の差、及びＳ３とＳ４の差をそれぞれ大きくし過ぎると印面が上方に突出し過ぎて、捺印する際にその突出した印面に手が触れてしまって汚れてしまう恐れがあるので、Ｓ１とＳ２の差、及びＳ３とＳ４の差はそれぞれ必要最小限に止めておくことが望ましい。
【００３４】
【発明の効果】
以上の通り、本発明による縦・横両方向の連結が可能な連結式印判では、縦連結部材として、前記柄２の短辺一側面には凸部３を設けると共に該凸部３の左右両側に該短辺一側面の左右両端にかけて切欠部４を設け、前記短辺一側面と対向する他の短辺一側面には前記凸部３と嵌合する凹部５を設けると共に該凹部５の左右両側に前記切欠部４と係合する隆起部６を設け、前記凸部３と凹部５が嵌合すると共に切欠部４と隆起部６が係合することにより単位印判１の複数個を縦連結状態にするものとしたので、縦連結状態にある複数個の単位印判１に、それを連結部分において左右方向に折り曲げるような力が加わったとしても、切欠部４を設けたことにより形成された切欠面４ａと隆起部６の内側面６ａが密接しているため、縦連結状態にある複数個の単位印判１に左右方向のズレが生じることなく、縦連結状態を確実に保つことができるものである。
【００３５】
そして、本発明による縦・横両方向の連結が可能な連結式印判における縦連結部材の構成によれば、凸部３の突出寸法と凹部５の没入寸法を大きくして凸部３と凹部５の嵌合を強固なものとしなくても、縦連結状態にある複数個の単位印判１の左右方向のズレを生じないようにして縦連結状態を確実に保てるようにすることができるので、単位印判の柄の強度が低下してしまう恐れや、縦連結状態にある複数個の単位印判の分離がしにくくなる恐れや、単位印判の保管がしにくくなったり単位印判の外観が悪くなるといった不具合が全くないものである。
【００３６】
更に、本発明による縦・横両方向の連結が可能な連結式印判は、縦連結部材の下端から印字体９の印面までの長さＳ１と縦連結部材の上端から柄２の上端までの長さＳ２の大小関係をＳ１＞Ｓ２とすると共に、横連結部材の下端から印字体９の印面までの長さＳ３と横連結部材の上端から柄２の上端までの長さＳ４の大小関係をＳ３＞Ｓ４として、複数個の単位印判１を互いの印面の向きを上下逆にして縦、又は横方向に連結した際に捺印面が凹凸状となるようにしたので、捺印する複数個の単位印判１と、捺印に不要な他の印面を有する単位印判１を互いの印面の向きを上下逆にして縦、又は横連結するだけで、一定間隔の空白を有する縦、又は横方向の所望の文字列を捺印することができる。
【００３７】
そして、複数個の単位印判１を互いの印面の向きを上下逆にして縦、又は横連結した場合、印面の向きが異なる複数個の単位印判１の縦連結部材、及び横連結部材の上下位置はそれぞれ全て同一であるため、捺印する単位印判１の印面位置に上下のズレは生じることはなく捺印する印面は全て同一面となるので、印面の上下位置調節を行わずに一定間隔の空白を有する縦、又は横方向の所望の文字列を簡単、且つきれいに捺印することができる使い勝手の優れたものである。
【図面の簡単な説明】
【図１】本発明の第１の実施の形態の単位印判の斜視図であり、（Ａ）は後方斜視図、（Ｂ）は前方斜視図である。
【図２】図１（Ａ）におけるＡ−Ａ拡大断面図である。
【図３】第１の実施の形態の単位印判１を縦連結した状態を示す側面図である。
【図４】図３におけるＢ−Ｂ拡大断面図である。
【図５】第１の実施の形態の単位印判１を印面の向きを上下逆にして縦連結した状態を示す側面図である。
【図６】第１の実施の形態の単位印判１を横連結した状態を示す側面図である。
【図７】第１の実施の形態の単位印判１を印面の向きを上下逆にして横連結した状態を示す側面図である。
【図８】本発明の第２の実施の形態の単位印判の斜視図であり、（Ａ）は後方斜視図、（Ｂ）は前方斜視図である。
【図９】従来の連結式印判の縦連結状態を示す平面図である。
【符号の説明】
１  単位印判
２  柄
３  凸部
４  切欠部
４ａ  切欠面
５  凹部
６  隆起部
７  凸部
８  凹部
９  印字体
１０  印面表示
【図１】
0004234810.tif 000002
【図２】
0004234810.tif 000003
【図３】
0004234810.tif 000004
【図４】
0004234810.tif 000005
【図５】
0004234810.tif 000006
【図６】
0004234810.tif 000007
【図７】
0004234810.tif 000008
【図８】
0004234810.tif 000009
【図９】
0004234810.tif 000010